(57)【要約】【課題】　ウォブル信号ＷＳを追加のフィルタを用いずに単一のウォブル周期内で検出するウォブル信号検出方法を提供する。【解決手段】　ウォブル信号ＷＳをふくむ入力信号ＩＳを所望のウォブル信号ＷＳと位相及び周波数が対応する基準信号ＲＳと比較し、ウォブル信号ＷＳの振幅と位相をあらわす出力信号ＯＳを出力する。【選択図】　図２
2004134054.tif 000002
【特許請求の範囲】
【請求項１】
　ウォブル信号（ＷＳ）を有する入力信号（ＩＳ）を、所望のウォブル信号と位相及び周波数が対応する基準信号（ＲＳ）と比較するステップと、
　ウォブル信号の振幅と位相をあらわす出力信号（ＯＳ）を出力するステップとを有する、ことを特徴とするウォブル信号の検出方法。
【請求項２】
　前記比較のステップは、入力信号（ＩＳ）と基準信号（ＲＳ）の和信号（Ｓ１）と差信号（Ｓ２）を発生するステップを有する請求項１記載の方法。
【請求項３】
　前記比較のステップは、前記和信号（Ｓ１）と前記差信号（Ｓ２）を処理するステップを有する請求項２記載の方法。
【請求項４】
　前記処理のステップは、絶対値計算と位相敏感整流のひとつを有する請求項３記載の方法。
【請求項５】
　前記比較のステップは、前記の処理された和信号（Ｓ１）と前記の処理された差信号（Ｓ２）の更なる差信号（ＤＳ）を発生するステップを有する請求項３又は４のひとつに記載の方法。
【請求項６】
　前記比較のステップは、前記の更なる差信号（ＤＳ）、又は前記の処理された和信号（Ａ１）及び前記の処理された差信号（Ａ２）を、ウォブル周期にわたって積分するステップを有する請求項３−５のひとつに記載の方法。
【請求項７】
　基準信号（ＲＳ）を計算するステップを有する請求項１−６のひとつに記載の方法。
【請求項８】
　基準信号（ＲＳ）をテーブルに保存するステップを有する請求項１−６のひとつに記載の方法。
【請求項９】
　請求項１−８のひとつに記載の方法を、異なるウォブル周波数を有する複数の基準信号（ＲＳ）に対して並列に実行する、ウォブル信号の検出方法。
【請求項１０】
　請求項１−９のひとつに記載の方法を実行する手段を有する、記録媒体を読出し、及び／又は書込むための装置。
【発明の詳細な説明】
【技術分野】
【０００１】
　本発明はウォブル信号の検出方法に関し、さらに該方法を実施する手段を有する、光記録媒体の読取り及び／又は書込み装置に関する。
【背景技術】
【０００２】
　上記方法は例えば光ディスクのウォブルトラックからアドレス情報を取得するために使用される。一般に、光ディスクの埋込みトラックはインターリーブされたスパイラル又は同心円をあらわすように形成される。ＤＶＤ−ＲＷ又はＤＶＤ−ＲＡＭのような光ディスクはエンボストラックを有し、特別の形態でウォブルされている。つまり、トラックは直線にはエンボスされず、曲がった線（ミアンダ線）にエンボスされる。ミアンダ線の形は追加の情報をふくむことができ、特にアドレスと書込みクロックの発生に使用することができる。ウォブルトラックをもつ光ディスクを再生又は記録するときは、ウォブルトラックつまりウォブル信号にふくまれる情報を検出して、例えば、この光ディスクの特定の位置を識別する。
【０００３】
　ＤＶＤ＋ＲＷ（ＤＶＤリライタブル）は現存するＤＶＤ−Ｖｉｄｅｏ及びＤＶＤ−ＲＯＭドライブと後方互換性をもつ光ディスクの記録フォーマットである。従って、ＤＶＤ−ＲＷディスクは、既に市場にある標準のＤＶＤ及びＤＶＤ−ＲＯＭプレイヤで再生することができる。この後方互換性は、アドレス情報の保存と書込みクロックの発生のための高周波トラックウォブルと、ウォブル信号の中にアドレス情報を符号化する位相変調を使用することによって得られる。光リライタブルディスクの再生及び記録の際、アドレス情報をふくむウォブル信号を検出しなければならない。これはディスクの記録された領域では非常に困難である。ウォブル信号は高周波データ信号に重畳され、後者は十分に抑圧されなければならない。これに対する解決は、van Vlerken等による「４．７ＧＢ　ＤＶＤ−ＲＷのフォーマット検出」、2000 Digest of Technical Papers, International Conference on Consumer Electronics, pp.162-3に提案されている。この解決はウォブル信号の検出のために位相に敏感な整流とそれに続く積分を用いている。この解決は信頼性が高いが、一方、欠点として、信号検出を保証するために信号をフィルタして干渉信号部分を抑圧しなければならないことと、信号の数周期にわたって積分をしなければならないことがある。
【発明の開示】
【発明が解決しようとする課題】
【０００４】
　本発明の目的は、追加のフィルタの必要なしで、単一のウォブル周期内でウォブル信号を検出する方法を提供することにある。
【課題を解決するための手段】
【０００５】
　本発明はウォブル信号を有する入力信号を、所望のウォブル信号と位相及び周波数が対応する基準信号と比較するステップと、ウォブル信号の振幅と位相をあらわす出力信号を出力するステップとを有する。この方法は信頼性が高いという利点を有し、同時に、回路にわずかな追加をするだけで容易に実施することができる。
【０００６】
　好ましくは、前記比較のステップは、入力信号と基準信号の和信号と差信号を発生するステップを有する。入力信号と基準信号の間の相対位相に従って、一方の演算は大振幅の信号を出力し、他方の演算は小振幅の信号を出力する。両信号の比較により、入力信号にふくまれるウォブル信号と基準信号との間の相対位相が得られる。
【０００７】
　好ましくは、前記比較のステップは、前記和信号と前記差信号を処理するステップを有し、処理された和信号と処理された差信号を提供する。両信号を処理することの利点は、入力信号にふくまれるウォブル信号と基準信号との間の相対位相に関する出力信号の不確実さが避けられることにある。例えば、両信号の間の相対位相の２以上の値に対して出力信号が同じであると、不確実さが発生する。
【０００８】
　好ましくは、上記の処理は絶対値計算をふくむ。絶対値計算は実施が容易な加算と減算のみで実施できる利点がある。同時に、不確実さが避けられる。この方法は、従来の方法に比べて大きな振幅と小さなノイズの信号を出力する。従ってこの方法の信頼性は入力信号の信号対ノイズ比にわずかしか依存しない。
【０００９】
　又は、上記の処理は位相敏感整流を有する。このことの利点は位相敏感整流が特定の目的に対して確立した技術であることである。
【００１０】
　本発明によると、前記比較のステップは、前記の処理された和信号と前記の処理された差信号の更なる差信号を発生するステップを有する。この更なる差信号の発生は、処理された和信号と処理された差信号を比較する最も簡単な方法である。この更なる差信号は入力信号にふくまれるウォブル信号と基準信号との間の相対位相に直接依存する。
【００１１】
　好ましくは、前記比較のステップは、前記の更なる差信号、又は前記の処理された和信号及び前記の処理された差信号を、ウォブル周期にわたって積分するステップを有する。単一のウォブル周期にわたって積分することにより、積分値は入力信号の振幅に比例する。この方法でウォブル信号の信号振幅も容易に得られる。出力信号の符号は入力信号の位相をあらわす。入力信号の振幅に対する出力信号の比例性により、出力信号は入力信号の振幅の制御にも使用することができる。
【００１２】
　好ましくは、本発明による方法は更に基準信号を計算するステップを有する。基準信号はウォブル周期内の位相を入力パラメータとして使用することにより容易に計算することができる。この情報はウォブル信号にロックされたＰＬＬ（位相ロックループ）から得ることができる。サイン又はコサイン基準信号を計算するために、ＣＯＲＤＩＣアルゴリズムを使用することができる。
【００１３】
　又は、本発明による方法は基準信号をルックアップテーブルに保存するステップをさらにふくむ。ＰＬＬがディジタル的に実現されているときは信号内のどの場所で信号がサンプルされたかは既知である。対応する基準値をルックアップテーブルに保存することができる。例えば、ウォブル信号がウォブル周期内で３２回サンプルされるときは、ルックアップテーブルは３２のエントリをふくむ。
【００１４】
　本発明の更なる実施例によると、ウォブル信号を検出する方法は異なるウォブル周波数をもつ複数の基準信号に対して並列に発明の方法を実行する。高密度光ディスクの場合には、情報は、好ましくは、複数の異なるウォブル周波数、例えば３つのウォブル周波数、を使用して符号化される。発明の方法をこれらの周波数の各々に対して実施することにより符号化情報を高信頼度で検出することができる。
【００１５】
　好ましくは、記録媒体を読出し及び／又は書込む装置は本発明による方法を実行する手段をふくむ。この装置はウォブル信号の検出に関し非常に高信頼性である。光記録媒体の記録エリアの中でも、アドレス情報を安全にとり出すことができる。
【発明を実施するための最良の形態】
【００１６】
　ＤＶＤ＋ＲＷディスクのトラックウォブルは基本的に単調な正弦波である。トラックウォブルの一部のみが位相変調されて、アドレスビットと補助データビットとパリティビットをふくむ。この部分はプリグルーブアドレス（ＡＤＩＰ）として知られている。図１は３ウォブル周期Ｐ１，Ｐ２，Ｐ３にわたるＡＤＩＰ部分のウォブル信号ＷＳを示す。図から明らかなように、ウォブル信号ＷＳは第２ウォブル周期Ｐ２で反転し、負のウォブルを構成する。正と負のウォブルの順序がＡＤＩＰの情報の符号化に使用される。この情報の復号のために正と負のウォブルが完全に検出されなければならない。
【００１７】
　図２は本発明による方法のブロック図である。入力信号ＩＳは、基準信号発生器により発生され、所望のウォブル信号と位相及び周波数が対応する基準信号ＲＳと比較される。この目的のために、加算器１が入力信号ＩＳと基準信号ＲＳを加算して和信号Ｓ１を発生する。加算器２は入力信号ＩＳと負の基準信号ＲＳを加算して差信号Ｓ２を発生する。入力信号ＩＳと基準信号ＲＳの相対位相に対応して、Ｓ１とＳ２の一方は比較的大きな値をもち、他方の信号Ｓ２，Ｓ１は比較的小さな値をもつ。入力信号ＩＳが基準信号ＲＳと同相又は両者の位相がπの整数倍のときに上記の効果はもっとも大きくなる。ウォブル信号ＷＳにロックされる２つの絶対値計算器３，４は各々和信号Ａ１と差信号Ａ２の絶対値を計算する。別の加算器５は和信号Ｓ１の絶対値信号Ａ１と差信号Ｓ２の絶対値信号Ａ２を加算して、別の差信号ＤＳを発生する。この差信号ＤＳは積分器６によりウォブル周期にわたって積分され、出力信号ＯＳを得る。積分の後、出力信号は、入力信号ＩＳにふくまれるウォブル信号ＷＳからの振幅と位相に対応する値をもつ。
【００１８】
　図３は本発明の別の実施例のブロック図である。差信号ＤＳの積分の代わりに、２つの積分器６，７が各々和信号Ｓ１の絶対値Ａ１と差信号Ｓ２の絶対値Ａ２を積分する。この方法では２つの積分信号Ｉ１，Ｉ２が得られ出力信号ＯＳの元を形成する。出力信号ＯＳは第１積分信号Ｉ１と負の第２積分信号Ｉ２を加算器５で加算して得られる。
【００１９】
　図４は光記録媒体１４を読取り及び／又は書込む装置を示す。この装置は手段１８ｂを有し、本発明による方法を実行して出力信号ＯＳを得、光記録媒体１４のウォブルトラック１６にふくまれる情報を復号する。光源１０から出射するスキャン光ビーム２０はコリメータ１１によりコリメートされ、ビームスプリッタ１２により方向転換される。対物レンズ１３はスキャンビーム２０を、情報を記録する光記録媒体１４の層１５のウォブルトラック１６に合焦させる。情報を記録する層１５で反射したスキャンビーム２０は対物レンズ１３によりコリメートされ、イメージユニット１７により光検出器９の上に結像される。光検出器９からの信号は評価ユニット１８により評価される。評価ユニットはトラックエラー信号ＴＥを発生する手段１８を有し、該信号ＴＥはトラッキング制御器１９に提供されて、スキャンビーム２０がウォブルトラック１６のトラックの中央に可能な限り近接して動くようにする。評価ユニットはさらにウォブル信号ＷＳを検出し、ウォブル信号ＷＳにふくまれる情報を復号するための出力信号ＯＳを発生する手段１８ｂを有する。
【図面の簡単な説明】
【００２０】
【図１】ＤＶＤ＋ＲＷ標準で述べたウォブル信号を示す。
【図２】本発明による方法を示すブロック図である。
【図３】本発明の別の実施例のブロック図である。
【図４】本発明の方法を実行する手段をふくむ、光記録媒体を読取り及び又は書込む装置を示す。
【符号の説明】
【００２１】
　１、２、５　　加算器
　３、４、６、７　　積分器
　８　　基準信号発生器
【図１】
2004134054.tif 000003
【図２】
2004134054.tif 000004
【図３】
2004134054.tif 000005
【図４】
2004134054.tif 000006
【外国語明細書】
2004134054.tif 000007
2004134054.tif 000008
2004134054.tif 000009
2004134054.tif 000010
2004134054.tif 000011
2004134054.tif 000012
2004134054.tif 000013
2004134054.tif 000014
2004134054.tif 000015
2004134054.tif 000016
2004134054.tif 000017
2004134054.tif 000018
2004134054.tif 000019